(57)【特許請求の範囲】
【請求項１】
携帯可能な本体に所定長さの握り部を形成して、その握り部に、該握り部から突出した状態で前記握り部の形成方向に延設されるフック部材を取り付けた携帯型器具であって、
前記本体を筒状に形成し、該本体の一端に、電源となるバッテリーを着脱可能として、前記本体の一端側に、前記握り部を前記所定の長さで形成し、該握り部に、前記フック部材を取り付ける取付部を配置して、該取付部に取り付けて前記握り部の形成方向に延設される前記フック部材の先端を、前記本体の他端側に向けて配置して、
前記取付部に沿って、前記フック部材を、外部の係止部材に係合可能となる係合位置と、前記握り部を把持する手を保護する保護位置と、の間で回転移動可能とし、
前記本体に、前記握り部における前記本体の他端側から該本体の一端側に向けて所定の角度で傾斜する傾斜面を有する傾斜突部を形成して、前記フック部材の先端を前記握り部側へ屈曲させて、
前記保護位置では、前記フック部材の先端の外面と前記傾斜面とが略同一線上に配置されるように、前記フック部材の先端が前記傾斜突部と接近した状態で対向することにより、前記握り部と前記フック部材との間に、前記握り部を把持する手を挿入可能な空間を形成したことを特徴とする携帯型器具。
【請求項２】
前記携帯型器具は、スポットライトを照射する照明器具であることを特徴とする請求項１に記載の携帯型器具。
【発明の詳細な説明】
【技術分野】
【０００１】
この発明は、携帯可能な本体に所定長さの握り部を形成して、その握り部に、該握り部から突出した状態で前記握り部の形成方向に延設されるフック部材を取り付けた携帯型器具に関する。
【背景技術】
【０００２】
例えば、特許文献１には、携帯用ランプの頂部（照明部）に沿って折曲形成されたフック部を備えた上で、そのフック部を、前記頂部に当接する収納位置と、頂部から離反する引き出し位置との間でスライド可能に保持し、携帯用ランプのランプカバーの周方向へ任意の角度回転可能なフックホルダを備えたランプ吊り下げ用フックが開示されている。特許文献１のランプ吊り下げ用フックでは、必要なときにのみ引き出して使用すると共に、引き出したときにフックの角度も任意に変更可能にした。
【０００３】
また、特許文献２には、携帯工具のフロントハウジングとリアハウジングとの接続部に、前記携帯工具の軸回りに回転可能に挟み込んで支持した支持部と、支持部に一体に設けられて携帯工具の軸方向に沿って延在されて、前記支持部の回転によって前記接続部の周囲の複数の位置に移動可能な引っ掛け片と、を備えた携帯工具用のフックが開示されている。特許文献２の携帯工具用のフックでは、リアハウジングに装着されたリーフスプリングの折曲げ先端部が、上記の支持部に形成した係止溝に嵌り込むことにより、支持部の回転を阻止する。したがって、支持部に形成した係止溝の数に相当する位置で、支持部に設けられた引っ掛け片が位置決めされて、この引っ掛け片を、ベルト等に吊り下げるフックとして利用できる。
【先行技術文献】
【特許文献】
【０００４】
【特許文献１】特開２００２−１４０９２１号公報
【特許文献２】特許第３２０７５９７号明細書
【発明の概要】
【発明が解決しようとする課題】
【０００５】
ところで、上記の携帯用ランプ等に代表される携帯型器具では、例えば、ユーザが、建築工事現場で携帯型器具を把持して持ち歩く際に、携帯型器具の握り部を把持するユーザの手が周囲の物等に偶発的に当たることが懸念され、常に注意が必要であった。
【０００６】
この発明は、このような状況に鑑み提案されたものであって、ユーザの手が周囲の物等に偶発的に当たることを防止した携帯型器具を提供することを目的とする。
【課題を解決するための手段】
【０００７】
請求項１の発明に係る携帯型器具は、携帯可能な本体に所定長さの握り部を形成して、その握り部に、該握り部から突出した状態で前記握り部の形成方向に延設されるフック部材を取り付けた携帯型器具であって、前記本体を筒状に形成し、該本体の一端に、電源となるバッテリーを着脱可能として、前記本体の一端側に、前記握り部を前記所定の長さで形成し、該握り部に、前記フック部材を取り付ける取付部を配置して、該取付部に取り付けて前記握り部の形成方向に延設される前記フック部材の先端を、前記本体の他端側に向けて配置して、前記取付部に沿って、前記フック部材を、外部の係止部材に係合可能となる係合位置と、前記握り部を把持する手を保護する保護位置と、の間で回転移動可能とし、前記本体に、前記握り部における前記本体の他端側から該本体の一端側に向けて所定の角度で傾斜する傾斜面を有する傾斜突部を形成して、前記フック部材の先端を前記握り部側へ屈曲させて、前記保護位置では、前記フック部材の先端の外面と前記傾斜面とが略同一線上に配置されるように、前記フック部材の先端が前記傾斜突部と接近した状態で対向することにより、前記握り部と前記フック部材との間に、前記握り部を把持する手を挿入可能な空間を形成したことを特徴とする。
【０００９】
請求項２の発明は、請求項１において、前記携帯型器具は、スポットライトを照射する照明器具であることを特徴とする。
【発明の効果】
【００１０】
請求項１の発明に係る携帯型器具によれば、握り部に対してフック部材を係合位置に取り付けることで、フック部材を、携帯型器具の外部の係止部材に係止することに加えて、握り部に対してフック部材を保護位置に取り付けた際には、ユーザが手で握り部を把持したときに、手の外側にフック部材が位置する。このため、保護位置のフック部材によって、ユーザの手が保護されて、その手が周囲の物等に偶発的に当たることを防止できる。
請求項１の発明によれば、握り部に対してフック部材を回転させるという簡単な操作で、係合位置又は保護位置のいずれかを自由に選択できる。
請求項２の発明によれば、フック部材を、握り部に対して回転させることで、係合位置を任意に選択できるため、係止部材に照明器具のフック部材を係合させる位置が制約されずに、照明器具を、フック部材を介して係止部材に係合させた状態で、ユーザの希望する位置にスポットライトを照射できる。
【図面の簡単な説明】
【００１１】
【図１】本発明の実施形態の充電式懐中電灯の全体斜視図である。
【図２】同充電式懐中電灯にフック部を取り付ける前の握り部周辺を拡大して示した図である。
【図３】同充電式懐中電灯に取り付けるフック部の全体斜視図である。
【図４】同フック部を取り付けた充電式懐中電灯の横断面図である。
【図５】同フック部の係止腕を係止部材に係合させる位置に固定した充電式懐中電灯の全体斜視図である。
【図６】同係止腕を握り部を把持する手を保護する位置に固定した充電式懐中電灯の全体斜視図である。
【発明を実施するための形態】
【００１２】
本発明の実施形態を、図１ないし図６を参照しつつ説明する。本実施形態の充電式懐中電灯１は、図１に示すように、本体１０と、照明部２０と、フック部３０とを備えている。本体１０は、樹脂製の半割ハウジングを組み付けて形成されて、握り部１１と、バッテリーパック装着部１２と、傾斜突部１５と、プッシュボタンＢとを備えている。握り部１１は、筒状に形成されて充電式懐中電灯１の上下方向Ｘ（図１の上下方向）に所定長に亘って延設されている。ユーザは、手で握り部１１を把持することで本体１０を携帯して、充電式懐中電灯１を使用する。
【００１３】
バッテリーパック装着部１２は、本体１０の下端（図１の下方側）に設けられている。バッテリーパック装着部１２には、充電可能なバッテリーパック１２Ａが着脱自在に装着される。図２に示すように、握り部１１の下端部には、握り部１１の延設方向（図１の上下方向）において、フック部３０の取付部１３が、バッテリーパック装着部１２と連設されている。取付部１３は、筒状に形成された上で、上下端部に円板状のフランジ１３Ａ，１３Ｃが形成されている。加えて、取付部１３の外周面には、周方向に等間隔で複数の凹部１３Ｂが形成されている。本実施形態では、前記外周面に８つの凹部１３Ｂを形成した（図４参照。）。
【００１４】
また、図１に示すように、本体１０の上端側周面で、下記の照明部２０が屈曲する側の面には、傾斜突部１５が形成されている。傾斜突部１５は、前記上端側周面から本体１０の下方に向けて所定の角度で下り傾斜する傾斜面１５Ａを有する。さらに、本体１０の上端側周面で、照明部２０が屈曲する側とは反対側の面には、プッシュボタンＢが設けられている。ユーザがプッシュボタンＢを押すことで、照明部２０がスポットライトを照射する。
【００１５】
照明部２０は、本体１０の上端部に回転可能に軸着されている。照明部２０には、ＬＥＤが収容されている。この照明部２０は、図１に示した本体１０の延設方向（図１の上下方向）の上方側の延長線上の位置から、上記の傾斜面１５Ａに当接するまで前記延設方向の下方側に向けて回転可能とされている。これにより、照明部２０が、目標位置に向けて屈曲可能であり、ＬＥＤが、目標位置にスポットライトを照射できる。なお、充電式懐中電灯１は本発明の照明器具の一例である。
【００１６】
フック部３０は、図３に示すように、樹脂製で左右の半割部材３０Ａ、３０Ｂを組み付けて形成されて、ホルダ部３１と、係止腕３２とを備えている。図１及び図４に示すように、両半割部材３０Ａ、３０Ｂを、それらの上面をフランジ１３Ａに当接させながら、取付部１３の外周面に嵌め合わせて組み付けることで、ホルダ部３１は円筒状に形成される。左半割部材３０Ａの側面には切欠部Ｋが形成されて、この切欠部Ｋには、樹脂製の板ばね３３が形成されている。板ばね３３の先端側は、半円形状を有する自由端とされて、板ばね３３の後端側は、左半割部材３０Ａの側面と一体になっている。板ばね３３の先端部側面には突部３３Ａが形成されて、該突部３３Ａは、左半割部材３０Ａの内壁面からホルダ部３１の内側へ突出する。この板ばね３３は、その後端が左半割部材３０Ａに支持されてホルダ部３１の径方向へ揺動可能である。図４に示すように、両半割部材３０Ａ、３０Ｂを取付部１３に組み付けたときは、突部３３Ａを、上記の凹部１３Ｂに係合可能とした。
【００１７】
図３及び図４に示すように、右半割ハウジング３０Ｂの外面には、締着用凸部３０Ｄが形成されている。両半割部材３０Ａ、３０Ｂを組み付ける際には、図４に示すように、締着用凸部３０Ｄと、係止腕３２の基端部３２Ａとを面合わせすることで、基端部３２Ａのねじ孔（図示せず。）の中心と、締着用凸部３０Ｄの孔（図示せず。）の中心とを一致させる。その後に、ねじ３０Ｆを前記孔に挿通させて、前記ねじ孔に締め付ける。
【００１８】
係止腕３２は、左半割部材３０Ａの外面から、ホルダ部３１と略平行な状態で該ホルダ部３１の上端側に向けて延設されている。係止腕３２の延設長さは、握り部１１におけるユーザが手で把持する範囲と略同じ長さに設定されている。係止腕３２の先端部３２Ｂは、ホルダ部３１側へ屈曲している。ホルダ部３１が上記の取付部１３に組み付けられたときは、図１に示すように、係止腕３２は、握り部１１から外方へ突出した状態で握り部１１と対向して、該握り部１１の形成方向Ｘ（図１参照。）の下方側から上方側に延設される。
【００１９】
本実施形態では、以下に説明するように、フック部３０を、握り部１１の全周に亘って回転させることができる。例えば、ユーザが、建築工事現場の暗所にスポットライトを照射するために、建築工事現場の建築設備の梁やユーザの腰ベルト等に、係止腕３２を一時的に係合させる必要がある。この場合には、例えば、図１に示すように、係止腕３２を位置Ｐ１に固定する。図４に示すように、板ばね３３の突部３３Ａが、位置Ｐ１に対応する凹部１３Ｂに係合することで、係止腕３２は、位置Ｐ１に位置決めされる。
【００２０】
位置Ｐ１に係止腕３２を位置決めした状態で、ユーザは手で握り部１１を把持し、バッテリーパック１２Ａを上方に、照明部２０を下方にそれぞれ向けた状態で、係止腕３２を梁（図示せず。）に係合させる。その後、ユーザは、照明部２０を暗所に向くように回転移動させてプッシュボタンＢを押すことで、該暗所にスポットライトを照射する。なお、梁は本発明の係止部材の一例であり、位置Ｐ１は本発明の係合位置の一例である。
【００２１】
位置Ｐ１に係止腕３２を固定したときに、障害物によって梁に係止腕３２を係合できない場合には、係止腕３２を、障害物を避けた位置Ｐ２（図５参照。）に回転移動させる。係止腕３２を位置Ｐ１から位置Ｐ２に移動させる際には、ホルダ部３１を、上記の取付部１３の外周に沿って、図４に示す矢印方向に回転させる。ホルダ部３１が取付部１３の外周を回転移動する際には、突部３３Ａが隣設する凹部１３Ｂに順次係合する動作を繰り返す。
【００２２】
突部３３Ａが各凹部１３Ｂに係合する位置では、位置Ｐ１と同様に、係止腕３２をそれぞれ位置決めできる。ホルダ部３１が隣設する凹部１３Ｂ、１３Ｂ間を移動するときは、板ばね３３がその後端を支点としてホルダ３１の径方向における外側に押されることにより、突部３３Ａが、板ばね３３の付勢力に抗して切欠部Ｋ内に入り込んで、ホルダ部３１が取付部１３の外周に沿って摺動する。位置Ｐ２に対応する凹部１３Ｂに対し、突部３３Ａを係合させることで、位置Ｐ２に係止腕３２を位置決めする動作が完了する。ユーザは、位置Ｐ２においても、位置Ｐ１と同様に、係止腕３２を梁に係合させて、照明部２０によって、暗所にスポットライトを照射できる。本実施形態の充電式懐中電灯１では、各凹部１３Ｂに対応させた８つの位置で、係止腕３２を位置決めできる。したがって、係止腕３２を障害物を避けて梁に係合させるために、後述する位置Ｐ３（図６参照。）を除き、握り部１１に対して係止腕３２を７つの位置に取り付け可能になる。なお、位置Ｐ２は本発明の係合位置の一例である。
【００２３】
一方、建築工事現場では、作業者の歩行通路が十分に確保できない等の理由から、ユーザが充電式懐中電灯１を持ち歩く際に、握り部１１を把持した手が周囲の物等に当たることが考えられる。これを防止するために、係止腕３２を位置Ｐ３（図６参照。）にも固定できる。例えば、係止腕３２を上記の位置Ｐ２から位置Ｐ３に移動させる際には、上述した係止腕３２を位置Ｐ１から位置Ｐ２移動させる場合と同様に、ホルダ部３１を、図４に示す矢印方向に回転させる。これに伴って、係止腕３２を、位置Ｐ２から位置Ｐ３に回転移動でき、握り部１１に対して係止腕３２を取り付ける位置を、位置Ｐ２から位置Ｐ３に変更可能とした。上記の位置Ｐ１、Ｐ２と同様に、位置Ｐ３に対応する凹部１３Ｂに対して突部３３Ａを係合させることで、位置Ｐ３に係止腕３２を位置決めできる。
【００２４】
ユーザが手で握り部１１を把持したときに、位置Ｐ３では、係止腕３２が、本体１０の延設方向Ｘで、親指を除く４本の指の外側を横断するように延びている。図６に示すように、位置Ｐ３では、係止腕３２の先端部３２Ｂが、その外面と上記の傾斜面１５Ａとを略同一線上に配置された傾斜面を形成するように、傾斜突部１５と接近した状態で対向する。これにより、握り部１１の外側に、この握り部１１と隣接して、ユーザの４本の指を挿通可能な挿通空間Ｓが開口形成される。ユーザが、充電式懐中電灯１を持ち歩くために４本の指を挿通空間Ｓに挿通させて手で握り部１１を把持する際には、ユーザの周囲に障害物等が存在しても、障害物等が係止腕３２に当たりユーザの手に直接当たることを防止できる。なお、位置Ｐ３は本発明の保護位置の一例であり、係止腕３２は本発明のフック部材の一例であり、充電式懐中電灯１は、本発明の携帯型器具の一例である。
【００２５】
また、例えば、係止腕３２を、位置Ｐ３から位置Ｐ１あるいは位置Ｐ３から位置Ｐ２に移動させる際には、上述したように、ホルダ部３１を、取付部１３の外周に沿って回転移動させた後に、各位置Ｐ１、Ｐ２に対応する凹部１３Ｂに対して突部３３Ａを係合させて、各位置Ｐ１、Ｐ２に係止腕３２を位置決めできる。
【００２６】
＜本実施形態の効果＞
本実施形態の充電式懐中電灯１では、握り部１１（取付部１３）に対し、係止腕３２（ホルダ部３１）を、充電式懐中電灯１の外部の梁等に係合可能となる位置Ｐ１、Ｐ２と、握り部１１を把持するユーザの手の指を保護する位置Ｐ３とに、それぞれ取付位置を変更可能に取り付けた。このため、握り部１１に対して係止腕３２を位置Ｐ１、Ｐ２に取り付けることで、係止腕３２を前記梁等に係止することに加えて、握り部１１に対して係止腕３２を位置Ｐ３に取り付けた際には、ユーザの４本の指の外側に、係止腕３２が位置する。したがって、位置Ｐ３の係止腕３２によって４本の指が保護されて、それらの指がユーザの周囲の障害物等に偶発的に当たることを防止できる。
【００２７】
また、握り部１１に対し、係止腕３２を、位置Ｐ１、Ｐ２と位置Ｐ３との間で回転移動可能に取り付けたため、握り部１１に対して係止腕３２を回転させるという簡単な操作で、係止腕３２を梁等に係合可能となる位置Ｐ１、Ｐ２又はユーザの指を保護する位置Ｐ３のいずれかを自由に選択できる。
【００２８】
さらに、上述したように、係止腕３２を障害物を避けて梁に係合させるために、握り部１１に対して係止腕３２を７つの位置に取り付け可能としたため、梁に係止腕３２を係合させる位置が制約されずに、充電式懐中電灯１が、係止腕３２を介して梁に係合された状態で、ユーザの希望する位置にスポットライトを照射できる。
【００２９】
本発明は、上述した実施形態に限定されるものではなく、発明の趣旨を逸脱しない範囲内において構成の一部を適宜変更して実施できる。上述した実施形態では、ホルダ部３１を取付部１３の外周に沿って回転させつつ、凹部１３Ｂに突部３３Ａが係合する位置で係止腕３２を固定可能としたが、これに限らない。例えば、上述した実施形態とは異なり、ホルダ部３１と取付部１３との間に、ゴム等の摩擦材を介在させて、係止腕３２を、ホルダ部３１と摩擦材との間の摩擦力によって制動させることで、上記の位置Ｐ１等に固定可能としてもよい。
【００３０】
また、上述した実施形態では、係止腕３２を、握り部１１から突出した状態で、該握り部１１の形成方向の下方側から上方側に延設したが、これに限らない。例えば、上記の傾斜突部１５を形成せずに、ホルダ部３１を本体１０の上端側に回転移動可能に取り付けた上で、係止腕３２を、握り部１１から突出した状態で、前記形成方向の上方側から下方側に延設してもよい。加えて、上述した実施形態とは異なり、係止腕３２の先端部３２Ｂは、ホルダ部３１側へ屈曲させずに、ホルダ部３１と略平行な状態に形成してもよい。
【００３１】
さらに、上述した実施形態とは異なり、取付部１３の外周面に形成する凹部１３Ｂは、８つに限らず、９つ以上又は８つ未満の適宜の数に変更してもよい。加えて、上述した実施形態では、本発明を、充電式懐中電灯１に適用した例を示したが、充電式や交流駆動式のインパクトドライバ等の電動工具に適用してもよい。
【符号の説明】
【００３２】
１・・充電式懐中電灯、１０・・本体、１１・・握り部、３２・・係止腕、Ｐ１、Ｐ２・・係止腕の固定位置（係合位置）、Ｐ３・・係止腕の固定位置（保護位置）、Ｘ・・本体の延設方向、握り部の形成方向
【図１】
0005596453.tif 000002
【図２】
0005596453.tif 000003
【図３】
0005596453.tif 000004
【図４】
0005596453.tif 000005
【図５】
0005596453.tif 000006
【図６】
0005596453.tif 000007